(57)【特許請求の範囲】
【請求項１】
ＴＶ視聴情報管理装置と、ＴＶ番組視聴メンバー管理サーバと、インターネットを通じたコミュニケーション手段を備える他視聴者情報表示装置と、を含むＴＶ番組視聴メンバー管理システムであって、
前記ＴＶ視聴情報管理装置は、
ユーザのＴＶ番組の視聴状況を検知する視聴状況検知手段と、
前記視聴状況検知手段により検知した視聴状況に係る情報を前記ユーザのＴＶ番組の視聴情報として、インターネットを通じて前記ＴＶ番組視聴メンバー管理サーバに送信する視聴情報送信手段と、を備え、
前記ＴＶ番組視聴メンバー管理サーバは、
前記ＴＶ視聴情報管理装置から送信された前記ユーザのＴＶ番組の視聴情報を受け取る視聴情報受信手段と、
前記ユーザのＴＶ番組の視聴情報を該ユーザの識別情報と関連付けて記録する視聴情報記録手段と、
複数のユーザで構成するグループと該グループに属するユーザとの対応関係を示す情報を記録するグループ情報記録手段と、
ユーザの指定するＴＶ番組について、前記視聴情報記録手段に前記ＴＶ番組の視聴情報と関連付けて記録されているユーザの識別情報と、前記グループ情報記録手段に記録されている前記対応関係を示す情報とに基づいて、該ＴＶ番組を視聴する他のユーザであって前記ユーザと同一のグループに属するものを検索する他視聴者情報検索手段と、
前記他視聴者情報表示装置から送信された指示を受け取る番組表作成指示受信手段と、
前記指示に基づいて前記ユーザの視聴に係るＴＶ番組表を作成する番組表作成手段と、
前記番組表作成手段により作成したＴＶ番組表を前記他視聴者情報表示装置に送信する番組表送信手段と、を備え、
前記他視聴者情報表示装置は、
ＴＶ番組を指定して該ＴＶ番組を視聴する他のユーザであって前記ユーザと同一のグループに属するものに係る情報の要求を、インターネットを通じ前記ＴＶ番組視聴メンバー管理サーバに送信する他視聴者情報検索指示手段と、
前記ＴＶ番組視聴メンバー管理サーバから送信された前記情報を受信して表示する他視聴者情報受信表示手段と、
インターネットを通じ前記ユーザの視聴に係るＴＶ番組表の作成を要求する指示を前記ＴＶ番組視聴メンバー管理サーバに送信する番組表作成指示手段と、
前記ＴＶ番組視聴メンバー管理サーバから送信された前記ＴＶ番組表に係る情報を受信して、視聴済みのＴＶ番組と、現在視聴しているＴＶ番組を識別表示し、前記視聴済みのＴＶ番組又は前記現在視聴しているＴＶ番組を指定することにより、視聴しているユーザをグループ毎に表示する番組表受信表示手段と、を備えることを特徴とするＴＶ番組視聴メンバー管理システム。
【請求項２】
前記ＴＶ番組視聴メンバー管理サーバは、
前記他視聴者情報検索手段による検索を行うために、インターネットに接続された端末から前記ユーザの指定するＴＶ番組に係る情報を受け取る他視聴者情報検索指示受信手段と、
前記他視聴者情報検索手段による検索結果に基づいて前記ＴＶ番組を視聴する他のユーザであって前記ユーザと同一のグループに属するものに係る情報を前記端末に送信する他視聴者情報送信手段と、
をさらに備えることを特徴とする請求項１に記載のＴＶ番組視聴メンバー管理システム。
【請求項３】
前記グループ情報記録手段により記録するグループと該グループに属するユーザとの対応関係を示す情報は、１のユーザが複数のグループに属する場合の対応関係を示す情報を含み、
前記他視聴者情報検索手段により検索するＴＶ番組を視聴する他のユーザであって前記ユーザと同一のグループに属するものは、前記複数のグループに係るものであることを特徴とする請求項１または２に記載のＴＶ番組視聴メンバー管理システム。
【請求項４】
前記他視聴者情報検索指示手段により行うＴＶ番組の指定は、前記番組表受信表示手段により表示されたＴＶ番組表に係る画面を用いて行うことを特徴とする請求項１から３のいずれか１項に記載のＴＶ番組視聴メンバー管理システム。
【請求項５】
ＴＶ視聴情報管理装置と、ＴＶ番組視聴メンバー管理サーバと、インターネットを通じたコミュニケーション手段を備える他視聴者情報表示装置と、を含むＴＶ番組視聴メンバー管理システムで実行されるＴＶ番組視聴メンバー管理方法であって、
前記ＴＶ番組視聴メンバー管理サーバが、ユーザのＴＶ番組の視聴情報を該ユーザの識別情報と関連付けて記録する視聴情報記録手段と、複数のユーザで構成するグループと該グループに属するユーザとの対応関係を示す情報を記録するグループ情報記録手段と、を備え、
前記ＴＶ番組視聴メンバー管理方法は、
前記ＴＶ視聴情報管理装置が、ユーザのＴＶ番組の視聴状況を検知する視聴状況検知ステップと、
前記ＴＶ視聴情報管理装置が、前記視聴状況検知ステップにより検知した視聴状況に係る情報を前記ユーザのＴＶ番組の視聴情報として、インターネットを通じて前記ＴＶ番組視聴メンバー管理サーバに送信する視聴情報送信ステップと、
前記ＴＶ番組視聴メンバー管理サーバが、前記ＴＶ視聴情報管理装置から送信された前記ユーザのＴＶ番組の視聴情報を受け取る視聴情報受信ステップと、
前記ＴＶ番組視聴メンバー管理サーバが、前記ユーザの指定するＴＶ番組について、前記ＴＶ番組の視聴情報と関連付けて記録されているユーザの識別情報と、前記対応関係を示す情報とに基づいて、該ＴＶ番組を視聴する他のユーザであって前記ユーザと同一のグループに属するものを検索する他視聴者情報検索ステップと、
前記ＴＶ番組視聴メンバー管理サーバが、前記他視聴者情報表示装置から送信された指示を受け取る番組表作成指示受信ステップと、
前記ＴＶ番組視聴メンバー管理サーバが、前記指示に基づいて前記ユーザの視聴に係るＴＶ番組表を作成する番組表作成ステップと、
前記ＴＶ番組視聴メンバー管理サーバが、前記番組表作成ステップにより作成したＴＶ番組表を前記他視聴者情報表示装置に送信する番組表送信ステップと、
前記他視聴者情報表示装置が、ＴＶ番組を指定して該ＴＶ番組を視聴する他のユーザであって前記ユーザと同一のグループに属するものに係る情報の要求を、インターネットを通じ前記ＴＶ番組視聴メンバー管理サーバに送信する他視聴者情報検索指示ステップと、
前記ＴＶ番組視聴メンバー管理サーバから送信された前記情報を受信して表示する他視聴者情報受信表示ステップと、
前記他視聴者情報表示装置が、インターネットを通じ前記ユーザの視聴に係るＴＶ番組表の作成を要求する指示を前記ＴＶ番組視聴メンバー管理サーバに送信する番組表作成指示ステップと、
前記他視聴者情報表示装置が、前記ＴＶ番組視聴メンバー管理サーバから送信された前記ＴＶ番組表に係る情報を受信して、視聴済みのＴＶ番組と、現在視聴しているＴＶ番組を識別表示し、前記視聴済みのＴＶ番組又は前記現在視聴しているＴＶ番組を指定することにより、視聴しているユーザをグループ毎に表示する番組表受信表示ステップと、を含むことを特徴とするＴＶ番組視聴メンバー管理方法。
【発明の詳細な説明】
【技術分野】
【０００１】
本発明は、ＴＶ番組視聴メンバー管理システム及びＴＶ番組視聴メンバー管理方法に関する。
【背景技術】
【０００２】
インターネット上でユーザの興味対象を発信し、ユーザ間での議論を促進するＷｅｂｌｏｇ（ブログ）サービスや、互いに友人として承認し合ったユーザ間で興味対象を議論するＳｏｃｉａｌ  Ｎｅｔｗｏｒｋｉｎｇ（ソーシャル・ネットワーキング）サービス（以下、ＳＮＳという）が普及してきている（非特許文献１）。そして、このような情報流通サービスは、自分に近い興味を持つユーザの発信記事やコミュニティでの議論内容を閲覧することにより、各自の興味を拡大する基盤となる可能性を持っている。
【０００３】
一方、地上波ディジタル放送やワンセグの普及と、情報家電化の進展により、テレビジョン（以下、ＴＶという）放送の視聴に係る各種の情報処理が可能となっている。そこで、視聴者（以下、ユーザという）が日々行うＴＶ番組の視聴とＳＮＳとを組み合わせて、新たなサービスの創出が可能となってきている。
【非特許文献１】総務省：ブログ・ＳＮＳの現状分析および将来予測，ｈｔｔｐ：／／ｗｗｗ．ｓｏｕｍｕ．ｇｏ．ｊｐ／ｓ−ｎｅｗｓ／２００５／０５０５１７＿３．ｈｔｍｌ（２００５）
【発明の開示】
【発明が解決しようとする課題】
【０００４】
多くのユーザは日常的に家庭でＴＶ視聴を行うが、家族の年齢構成は通常区々であり、必ずしも興味のあるＴＶ番組が共通するとは限らない。しかし、家族外に目を転ずれば、ＳＮＳ等を通じ、嗜好を共有する仲間と容易にコミュニケーションを図る手段が存在する。そこで、自分が見たＴＶ番組の感想等を掲示板等のサイトを通じて交換し合うことが可能となるが、ＴＶ番組の視聴と感想等の交換は時間的に近接しないことが多く、また、仲間のうち誰がそのＴＶ番組を見たかを確認する手段も特に用意されていないため、視聴時に抱いた印象を維持したまま感想等の交換を行うことは一般的に容易ではない。
【０００５】
そこで、本発明は、ＴＶ番組の視聴情報を収集して予め設定されたグループに属するユーザ間で共有し、同一番組を視聴する他ユーザを検索可能とし、視聴番組を共有するユーザ間で簡単に感想等の交換ができる技術を提供することを目的とする。
【課題を解決するための手段】
【０００６】
本発明者は、各ユーザから収集したＴＶ番組視聴情報と各ユーザの属するグループの情報とに基づき、同一の番組を視聴する他ユーザを検索する仕組みを見出し、本発明を完成するに至った。本発明は、具体的には次のようなものを提供する。
【０００７】
（１）ＴＶ視聴情報管理装置と、ＴＶ番組視聴メンバー管理サーバと、インターネットを通じたコミュニケーション手段を備える他視聴者情報表示装置と、を含むＴＶ番組視聴メンバー管理システムであって、前記ＴＶ視聴情報管理装置は、ユーザのＴＶ番組の視聴状況を検知する視聴状況検知手段と、前記視聴状況検知手段により検知した視聴状況に係る情報を前記ユーザのＴＶ番組の視聴情報として、インターネットを通じて前記ＴＶ番組視聴メンバー管理サーバに送信する視聴情報送信手段と、を備え、前記ＴＶ番組視聴メンバー管理サーバは、前記ＴＶ視聴情報管理装置から送信された前記ユーザのＴＶ番組の視聴情報を受け取る視聴情報受信手段と、前記ユーザのＴＶ番組の視聴情報を該ユーザの識別情報と関連付けて記録する視聴情報記録手段と、複数のユーザで構成するグループと該グループに属するユーザとの対応関係を示す情報を記録するグループ情報記録手段と、ユーザの指定するＴＶ番組について、前記視聴情報記録手段に前記ＴＶ番組の視聴情報と関連付けて記録されているユーザの識別情報と、前記グループ情報記録手段に記録されている前記対応関係を示す情報とに基づいて、該ＴＶ番組を視聴する他のユーザであって前記ユーザと同一のグループに属するものを検索する他視聴者情報検索手段と、前記他視聴者情報表示装置から送信された指示を受け取る番組表作成指示受信手段と、前記指示に基づいて前記ユーザの視聴に係るＴＶ番組表を作成する番組表作成手段と、前記番組表作成手段により作成したＴＶ番組表を前記他視聴者情報表示装置に送信する番組表送信手段と、を備え、前記他視聴者情報表示装置は、ＴＶ番組を指定して該ＴＶ番組を視聴する他のユーザであって前記ユーザと同一のグループに属するものに係る情報の要求を、インターネットを通じ前記ＴＶ番組視聴メンバー管理サーバに送信する他視聴者情報検索指示手段と、前記ＴＶ番組視聴メンバー管理サーバから送信された前記情報を受信して表示する他視聴者情報受信表示手段と、インターネットを通じ前記ユーザの視聴に係るＴＶ番組表の作成を要求する指示を前記ＴＶ番組視聴メンバー管理サーバに送信する番組表作成指示手段と、前記ＴＶ番組視聴メンバー管理サーバから送信された前記ＴＶ番組表に係る情報を受信して、視聴済みのＴＶ番組と、現在視聴しているＴＶ番組を識別表示し、前記視聴済みのＴＶ番組又は前記現在視聴しているＴＶ番組を指定することにより、視聴しているユーザをグループ毎に表示する番組表受信表示手段と、を備えることを特徴とするＴＶ番組視聴メンバー管理システム。
【０００８】
本発明のこのような構成によれば、ＴＶ番組視聴メンバー管理サーバがＴＶ番組の視聴情報をユーザが視聴時に把握して収集することができるとともに、インターネットに接続されたパーソナルコンピュータ（以下、パソコンという）を通じ、ユーザが自分と同じ番組を視聴する仲間を検索することができるので、過去に視聴したＴＶ番組のみならず、現在視聴中のＴＶ番組についても同ＴＶ番組を視聴する仲間を見つけて感想の交換を行うことができるので、ＴＶ番組をより楽しく視聴することができる。また、本発明のこのような構成によれば、ユーザは自分が視聴したＴＶ番組表を自分のパソコン等に表示することができるので、感想を交換したいＴＶ番組を、表示されたＴＶ番組表を見ながら選ぶことができる。
【０００９】
（２）前記ＴＶ番組視聴メンバー管理サーバは、前記他視聴者情報検索手段による検索を行うために、インターネットに接続された端末から前記ユーザの指定するＴＶ番組に係る情報を受け取る他視聴者情報検索指示受信手段と、前記他視聴者情報検索手段による検索結果に基づいて前記ＴＶ番組を視聴する他のユーザであって前記ユーザと同一のグループに属するものに係る情報を前記端末に送信する他視聴者情報送信手段とをさらに備えることを特徴とする（１）に記載のＴＶ番組視聴メンバー管理システム。
【００１０】
本発明のこのような構成によれば、（１）の発明を、インターネットを通じてユーザが簡単に利用することができるので、ユーザは家庭でＴＶを見ながら同一番組を視聴する仲間を知ることができる。
【００１１】
（３）前記グループ情報記録手段により記録するグループと該グループに属するユーザとの対応関係を示す情報は、１のユーザが複数のグループに属する場合の対応関係を示す情報を含み、前記他視聴者情報検索手段により検索するＴＶ番組を視聴する他のユーザであって前記ユーザと同一のグループに属するものは、前記複数のグループに係るものであることを特徴とする（１）または（２）に記載のＴＶ番組視聴メンバー管理システム。
【００１２】
本発明のこのような構成によれば、（１）または（２）の発明を、１人のユーザが複数のグループに属するときに、同一の番組を視聴する仲間をそれらの複数のグループから探すことが可能となるので、例えば、大勢で感想を交換した方が楽しい場合には、視聴する仲間の数が多いグループの方の仲間を選んで感想の交換を行うようにすることができる。
【００１３】
（４）前記他視聴者情報検索指示手段により行うＴＶ番組の指定は、前記番組表受信表示手段により表示されたＴＶ番組表に係る画面を用いて行うことを特徴とする（１）から（３）のいずれか１つに記載のＴＶ番組視聴メンバー管理システム。
【００１４】
本発明のこのような構成によれば、（１）から（３）のいずれかの発明を、表示されたＴＶ番組表をマウスでクリックする等により簡単に感想を交換するための仲間を見つけることができる。
【００１５】
（５）ＴＶ視聴情報管理装置と、ＴＶ番組視聴メンバー管理サーバと、インターネットを通じたコミュニケーション手段を備える他視聴者情報表示装置と、を含むＴＶ番組視聴メンバー管理システムで実行されるＴＶ番組視聴メンバー管理方法であって、前記ＴＶ番組視聴メンバー管理サーバが、ユーザのＴＶ番組の視聴情報を該ユーザの識別情報と関連付けて記録する視聴情報記録手段と、複数のユーザで構成するグループと該グループに属するユーザとの対応関係を示す情報を記録するグループ情報記録手段と、を備え、前記ＴＶ番組視聴メンバー管理方法は、前記ＴＶ視聴情報管理装置が、ユーザのＴＶ番組の視聴状況を検知する視聴状況検知ステップと、前記ＴＶ視聴情報管理装置が、前記視聴状況検知ステップにより検知した視聴状況に係る情報を前記ユーザのＴＶ番組の視聴情報として、インターネットを通じて前記ＴＶ番組視聴メンバー管理サーバに送信する視聴情報送信ステップと、前記ＴＶ番組視聴メンバー管理サーバが、前記ＴＶ視聴情報管理装置から送信された前記ユーザのＴＶ番組の視聴情報を受け取る視聴情報受信ステップと、前記ＴＶ番組視聴メンバー管理サーバが、前記ユーザの指定するＴＶ番組について、前記ＴＶ番組の視聴情報と関連付けて記録されているユーザの識別情報と、前記対応関係を示す情報とに基づいて、該ＴＶ番組を視聴する他のユーザであって前記ユーザと同一のグループに属するものを検索する他視聴者情報検索ステップと、前記ＴＶ番組視聴メンバー管理サーバが、前記他視聴者情報表示装置から送信された指示を受け取る番組表作成指示受信ステップと、前記ＴＶ番組視聴メンバー管理サーバが、前記指示に基づいて前記ユーザの視聴に係るＴＶ番組表を作成する番組表作成ステップと、前記ＴＶ番組視聴メンバー管理サーバが、前記番組表作成ステップにより作成したＴＶ番組表を前記他視聴者情報表示装置に送信する番組表送信ステップと、前記他視聴者情報表示装置が、ＴＶ番組を指定して該ＴＶ番組を視聴する他のユーザであって前記ユーザと同一のグループに属するものに係る情報の要求を、インターネットを通じ前記ＴＶ番組視聴メンバー管理サーバに送信する他視聴者情報検索指示ステップと、前記ＴＶ番組視聴メンバー管理サーバから送信された前記情報を受信して表示する他視聴者情報受信表示ステップと、前記他視聴者情報表示装置が、インターネットを通じ前記ユーザの視聴に係るＴＶ番組表の作成を要求する指示を前記ＴＶ番組視聴メンバー管理サーバに送信する番組表作成指示ステップと、前記他視聴者情報表示装置が、前記ＴＶ番組視聴メンバー管理サーバから送信された前記ＴＶ番組表に係る情報を受信して、視聴済みのＴＶ番組と、現在視聴しているＴＶ番組を識別表示し、前記視聴済みのＴＶ番組又は前記現在視聴しているＴＶ番組を指定することにより、視聴しているユーザをグループ毎に表示する番組表受信表示ステップと、を含むことを特徴とするＴＶ番組視聴メンバー管理方法。
【００１６】
本発明のこのような構成によれば、（１）に記載の発明をコンピュータを用いて実現するので、（１）と同様の効果を奏することができるとともに、自分のパソコン等に感想を交換するための仲間を表示することができるので容易に相手を見つけることができるという効果も奏することができる。
【発明の効果】
【００２１】
この発明によれば、ＴＶ番組の視聴という日常的な行為と、ＳＮＳというインターネットを通じたコミュニケーション手段とを融合させ、ＴＶ番組視聴の楽しさを増加させるとともに、コミュニケーションの話題を適用することにより、仲間との親密度を一層高めることができる。
【発明を実施するための最良の形態】
【００２２】
以下、本発明を実施するための最良の形態について図を参照しながら説明する。なお、これはあくまでも一例であって、本発明の技術的範囲はこれに限られるものではない。
【００２３】
（第１の実施形態）
［全体構成］
図１は、ＴＶ番組視聴メンバー管理システムの全体構成を示す図である。ＴＶ番組視聴メンバー管理システムは、ＴＶ番組視聴メンバー管理サーバ１と、ＴＶ受像機１１と情報家電管理装置２０と、インターネット端末３０と、これらを接続するためのインターネット４０と、家庭内ネットワーク４１とから構成される。なお、ＴＶ番組視聴メンバー管理システムには含まれないが、ＴＶ番組を放送する放送局４２も図１には示している。
【００２４】
ＴＶ番組視聴メンバー管理サーバ１は、情報家電管理装置２０から送信されるＴＶ番組の視聴情報を受信する視聴情報受信手段２と、この受信した視聴情報を視聴に係るユーザＩＤとともに記録する視聴情報記録手段３と、インターネット端末３０から送信される番組表作成指示を受け取る番組表作成指示受信手段４と、作成指示をしたユーザの視聴に係るＴＶ番組表を作成する番組表作成手段５と、作成されたＴＶ番組表をユーザのインターネット端末３０に送信する番組表送信手段６と、インターネット端末３０から送信される同一番組の視聴に係る他の視聴者の検索指示を受け取る他視聴者情報検索指示受信手段７と、他の視聴者に係る情報を検索する他視聴者情報検索手段８と、検索した他の視聴者に係る情報をインターネット端末３０に送信する他視聴者情報送信手段９と、他視聴者情報検索手段８にて参照されるユーザのグループへの所属関係を記録したグループ情報記録手段１０とを備える。
【００２５】
情報家電管理装置２０は、インターネット４０を介してＴＶ番組視聴メンバー管理サーバ１に接続されており、ＴＶ番組の視聴状況を検知する視聴状況検知手段２１と、検知した視聴状況を視聴情報としてユーザＩＤとともにＴＶ番組視聴メンバー管理サーバ１に送信する視聴情報送信手段２２とを備える。ここで、情報家電管理装置２０がＴＶ視聴情報管理装置に該当する。ユーザＩＤは、最初に情報家電管理装置２０からＴＶ番組視聴メンバー管理サーバ１にログインするときに、情報家電管理装置２０の記憶部に記憶しておけばよい。
【００２６】
ＴＶ受像機１１は、放送局４２から放送される地上波ディジタル放送を受信可能であり、家庭内ネットワーク４１を介して情報家電管理装置２０と有線ＬＡＮや無線ＬＡＮ，ＩＰｖ４，ＵＰｎＰ（ｕｎｉｖｅｒｓａｌ  ｐｌｕｇ  ａｎｄ  ｐｌａｙ）等によって接続されている。
【００２７】
インターネット端末３０は、表示部を備えるインターネット接続可能な端末であり、パソコンや携帯電話等、個人が容易に利用できるものである。インターネット端末３０は、ユーザが自分の視聴したＴＶ番組の番組表の作成をＴＶ番組視聴メンバー管理サーバ１に指示する番組表作成指示手段３１と、ＴＶ番組視聴メンバー管理サーバ１から送信された番組表を受信して表示部に表示する番組表受信表示手段３２と、ユーザがＴＶ番組を指定してそのＴＶ番組を視聴した自分の属するグループの他のメンバーの検索をＴＶ番組視聴メンバー管理サーバ１に指示する他視聴者情報検索指示手段３３と、ＴＶ番組視聴メンバー管理サーバ１から送信された視聴を共有する他のメンバーの情報を表示部に表示する他視聴者情報受信表示手段３４とを備える。インターネット端末３０は、他視聴者情報表示装置に該当する。
【００２８】
［ＴＶ番組視聴メンバー管理サーバのハードウェア構成図］
図２は、本実施形態に係るＴＶ番組視聴メンバー管理サーバ１のハードウェア構成を示す図である。ＴＶ番組視聴メンバー管理サーバ１は、制御部６０を構成するＣＰＵ（Ｃｅｎｔｒａｌ  Ｐｒｏｃｅｓｓｉｎｇ  Ｕｎｉｔ）６１（マルチプロセッサ構成ではＣＰＵ６２等複数のＣＰＵが追加されてもよい）、バスライン５０、通信Ｉ／Ｆ（Ｉ／Ｆ：インターフェイス）６３、メインメモリ６４、ＢＩＯＳ（Ｂａｓｉｃ  Ｉｎｐｕｔ  Ｏｕｔｐｕｔ  Ｓｙｓｔｅｍ）６５、表示装置６６、Ｉ／Ｏコントローラ６７、並びにキーボード及びマウス等の入力装置６８を備える。
【００２９】
制御部６０は、ＴＶ番組視聴メンバー管理サーバ１を統括的に制御する部分であり、ハードディスク７０（後述）に記憶された各種プログラムを適宜読み出して実行することにより、上述したハードウェアと協働し、本発明に係る各種機能を実現している。
【００３０】
通信Ｉ／Ｆ６３は、ＴＶ番組視聴メンバー管理サーバ１が、インターネット４０（図１）を介して情報家電管理装置２０（図１）やインターネット端末３０（図１）から各種の入力情報を受け取ったり、また画面への表示内容を送信したりする場合のネットワーク・アダプタである。通信Ｉ／Ｆ６３は、モデム、ケーブル・モデム及びイーサネット（登録商標）・アダプタを含んでよい。
【００３１】
ＢＩＯＳ６５は、ＴＶ番組視聴メンバー管理サーバ１の起動時にＣＰＵ６１が実行するブートプログラムや、ＴＶ番組視聴メンバー管理サーバ１のハードウェアに依存するプログラム等を記録する。
【００３２】
表示装置６６は、ブラウン管表示装置（ＣＲＴ）、液晶表示装置（ＬＣＤ）等のディスプレイ装置を含む。
【００３３】
Ｉ／Ｏコントローラ６７には、ハードディスク７０、及び半導体メモリ７１等の記憶装置７２を接続することができる。
【００３４】
入力装置６８は、ＴＶ番組視聴メンバー管理サーバ１の管理者による入力の受け付けを行うものである。
【００３５】
ハードディスク７０は、本ハードウェアをＴＶ番組視聴メンバー管理サーバ１として機能させるための各種プログラム、本発明の機能を実行するプログラム及び後述するテーブルを記憶する。なお、ＴＶ番組視聴メンバー管理サーバ１は、外部に別途設けたハードディスク（図示せず）を外部記憶装置として利用することもできる。
【００３６】
以上、ＴＶ番組視聴メンバー管理サーバ１のハードウェア構成について主に説明したが、コンピュータに、プログラムをインストールして、そのコンピュータをＴＶ番組視聴メンバー管理サーバ１として動作させることにより上記で説明した機能を実現することもできる。したがって、本発明において一実施形態として説明したＴＶ番組視聴メンバー管理サーバ１により実現される機能は、上述の方法を当該コンピュータにより実行することによって、あるいは、上述のプログラムを当該コンピュータに導入して実行することによっても実現可能である。
【００３７】
なお、本発明でいうコンピュータとは、記憶装置、制御部等を備えた情報処理装置をいい、ＴＶ番組視聴メンバー管理サーバ１は、記憶装置７２、制御部６０等を備えた情報処理装置により構成され、この情報処理装置は、本発明のコンピュータの概念に含まれる。
【００３８】
視聴情報受信手段２、番組表作成指示受信手段４、番組表作成手段５、番組表送信手段６、他視聴者情報検索指示受信手段７、他視聴者情報検索手段８及び他視聴者情報送信手段９には主に制御部６０が、視聴情報記録手段３及びグループ情報記録手段１０には記憶装置７２が主として対応する。  
【００３９】
以上、ＴＶ番組視聴メンバー管理サーバ１のハードウェア構成について説明したが、本発明において、情報家電管理装置２０及びインターネット端末３０も同様のハードウェア構成により実現可能である。
【００４０】
［所属グループテーブル］
図３は、所属グループテーブルを示す図である。ユーザを識別するための情報であるユーザＩＤ、ユーザ名、当該ユーザが所属するグループＩＤ１〜３を保有する。したがって、所属グループテーブルはグループとグループに属するユーザとの対応関係を表す。各ユーザが属するグループのうち最大３つまで保有するが、必要に応じて増減してもよい。
【００４１】
図３によれば、ユーザＩＤ１００１の山川○夫氏は、グループＩＤが１、２１、３５の３つのグループに属していることを示している。一方、ユーザＩＤが１００４の山田◎一氏は、グループＩＤが１のグループにのみ属していることを示している。所属グループテーブルはグループ情報記録手段１０に記録される。
【００４２】
［視聴記録テーブル］
図４は、視聴記録テーブルを示す図である。視聴記録テーブルには、ユーザが視聴したＴＶ番組の番組ＩＤ、視聴日、ユーザＩＤが保有されている。ここでユーザＩＤはユーザの識別情報である。視聴記録テーブルは視聴情報記録手段３に記録される。
【００４３】
図４（ａ）は、視聴された順に記録された視聴記録テーブルを示している。
【００４４】
図４（ｂ）は、ユーザＩＤと視聴日を特定して抽出した視聴記録テーブルを示している。この例では、ユーザＩＤが１００１の山川○夫氏が視聴日２００７／１２／１０に視聴した番組ＩＤが抽出されている。
【００４５】
図４（ｃ）は、番組ＩＤと視聴日を特定して抽出した視聴記録テーブルを示している。この例では、番組ＩＤが２００００４のＴＶ番組を視聴日２００７／１２／１０に視聴したユーザＩＤが抽出されている。ここでは、ユーザＩＤが１００１、１００２、１００３、１００４の４人のユーザが抽出されている。
【００４６】
［番組管理テーブル］
図５は、番組管理テーブルを示す図である。地上波ディジタル放送されるＴＶ番組について、番組ＩＤ、番組名、放送されるチャンネル、放送時間、放送日、放送される曜日が保有されている。
【００４７】
［番組表示画面］
図６は、番組表示画面を示す図である。ＴＶ番組を視聴したユーザが、自分の視聴したＴＶ番組の番組表をＴＶ番組視聴メンバー管理サーバから得て、インターネット端末に表示する画面例を示している。この例では、このユーザはチャンネル１、２、３の３つのチャンネルにおいて、番組Ａ、Ｆ、Ｈを既に視聴し、Ｌを現在視聴中であることを示しているものとする。これらの視聴した番組については、当該部分の色が変わる等の表示方法を用いることができる。
【００４８】
この画面は、ユーザが自分のユーザＩＤと視聴日を指定して番組表の作成の指示をすると、ＴＶ番組視聴メンバー管理サーバ１が、まず、視聴記録テーブル（図４）から当該ユーザのユーザＩＤと視聴日に基づいて番組ＩＤを抽出し（図４（ｂ））、抽出された番組ＩＤに基づいて番組管理テーブル（図５）を参照し、ＨＴＭＬ言語等により構築される。
【００４９】
図７は、他視聴者情報画面を示す図である。ユーザが番組ＩＤと視聴日を指定して、当該ＴＶ番組を視聴した他のユーザであって自分が所属するグループに属するものの検索を指示し、ＴＶ番組視聴メンバー管理サーバ１から受け取った検索結果を表示する画面である。
【００５０】
この例では、番組Ｈ（番組ＩＤ＝２００００４、視聴日＝２００７／１２／１０）を視聴した他のユーザであって自分（この場合、ユーザＩＤが１００１の山川○夫氏）が所属するグループに属するものがＴＶ番組視聴メンバー管理サーバ１に検索されて表示されている。これは次のようにして作成される。
【００５１】
ユーザが自分のユーザＩＤと番組ＩＤと視聴日とを指定して他視聴者情報の検索を指示すると、ＴＶ番組視聴メンバー管理サーバ１が、まず、視聴記録テーブル（図４）から当該番組ＩＤと視聴日に基づいてユーザＩＤを抽出する（図４（ｃ））。
【００５２】
次に、抽出されたユーザＩＤのうち本人のユーザＩＤを除いたものについて所属グループテーブル（図３）を参照し当該ユーザの所属グループＩＤを把握する。
【００５３】
そして、本人の所属するグループのグループＩＤと同一のグループＩＤを持つユーザＩＤについてユーザ名を把握し、所属グループＩＤとともにＨＴＭＬ言語等により画面構築する。
【００５４】
図７は、新たに画面を設けて表示するようにしているが、別の方法をとってもよい。
【００５５】
図８は、番組表示画面に他視聴者情報を表示する例を示した図である。番組表示画面から検索指示を行い、検索結果がドロップダウンリスト８２として表示される例を示している。
【００５６】
番組表示画面（図８）の各番組表示欄にはリンクが埋め込まれている。そして、所望の番組表示欄８０にマウスポインタ８１を当ててクリックすると、当該番組に対応する番組ＩＤが識別される。これは、この画面を作成するときに記載するリンクの中にパラメータとして番組ＩＤを組み込んでおけばよい。また、ユーザＩＤは、このインターネット端末からＴＶ番組視聴メンバー管理サーバにログインするときに入力するようにすればよい。また、視聴日は、システムの日付を用いてもよいが、予めリンクの中にパラメータとして組み込んでおくようにすれば、過去の番組についても対応することができる。
【００５７】
この例において、番組Ａ、Ｆ、Ｌについては過去に視聴されたものであるので、予め番組表示画面を作成するとき、他の視聴者の情報をＨＴＭＬ等で組み込んでおくことも可能である。しかし、番組Ｈについては現在視聴している番組であるので、番組表示画面を作成した後に視聴を始めた他のユーザについては、そうすることはできない。そこで、Ａｊａｘ等の手法により、番組表示欄８０がクリックされると、ＴＶ番組視聴メンバー管理サーバに照会するようにするとよい。そうすることによって、常に最新の他の視聴者の視聴情報を入手することができる。こうして感想等の交換をできる仲間を把握した後は、インスタントメッセンジャー等の機能を用いて、通常の方法でコミュニケーションを行えばよい。
【００５８】
図９は、ＴＶ番組視聴メンバー管理システムの処理フローを示す図である。
【００５９】
最初に、視聴情報の記録について説明する。
【００６０】
Ｓ１：ＴＶ受像機１１でＴＶ放送の視聴を行う。
【００６１】
Ｓ２：情報家電管理装置２０で視聴状況の検知を行う。ここで、情報家電管理装置２０は、視聴状況検知手段２１として機能する。
【００６２】
Ｓ３：情報家電管理装置２０がＳ２で検知した視聴状況を視聴情報としてＴＶ番組視聴メンバー管理サーバ１に送信する。ここで、情報家電管理装置２０は、視聴情報送信手段２２として機能する。
【００６３】
Ｓ４：ＴＶ番組視聴メンバー管理サーバ１が、情報家電管理装置２０から送信された視聴情報を受け取る。ここで、ＴＶ番組視聴メンバー管理サーバ１は、視聴情報受信手段２として機能する。
【００６４】
Ｓ５：ＴＶ番組視聴メンバー管理サーバ１が、受信した視聴情報を記録する。ここで、ＴＶ番組視聴メンバー管理サーバ１は、視聴情報記録手段３として機能する。
【００６５】
次に、番組表の作成について説明する。
【００６６】
Ｓ６：ユーザがインターネット端末３０からＴＶ番組視聴メンバー管理サーバ１に対し、自分の視聴したＴＶ番組の番組表の作成要求を送信する。ここでインターネット端末３０は、番組表作成指示手段３１として機能する。
【００６７】
Ｓ７：ＴＶ番組視聴メンバー管理サーバ１が、番組表の作成要求を受信する。ここで、ＴＶ番組視聴メンバー管理サーバ１は、番組表作成指示受信手段４として機能する。
【００６８】
Ｓ８：ＴＶ番組視聴メンバー管理サーバ１が、番組表の作成を行う。ここで、ＴＶ番組視聴メンバー管理サーバ１は、番組表作成手段５として機能する。
【００６９】
Ｓ９：ＴＶ番組視聴メンバー管理サーバ１が、作成した番組表をインターネット端末３０に送信する。ここで、ＴＶ番組視聴メンバー管理サーバ１は、番組表送信手段６として機能する。
【００７０】
Ｓ１０〜Ｓ１１：インターネット端末３０が、ＴＶ番組視聴メンバー管理サーバ１から送信された番組表を受信し、表示部に表示する。ここでインターネット端末３０は、番組表受信表示手段３２として機能する。
【００７１】
次に、他視聴者情報の抽出について説明する。
【００７２】
Ｓ１２：ユーザがインターネット端末３０からＴＶ番組視聴メンバー管理サーバ１に対し、ＴＶ番組の視聴を共有する自分と同一グループに属する他の視聴者の情報の検索要求を送信する。ここでインターネット端末３０は、他視聴者情報検索指示手段３３として機能する。
【００７３】
Ｓ１３：ＴＶ番組視聴メンバー管理サーバ１が、他の視聴者の情報の検索要求を受信する。ここで、ＴＶ番組視聴メンバー管理サーバ１は、他視聴者情報検索指示受信手段７として機能する。
【００７４】
Ｓ１４：ＴＶ番組視聴メンバー管理サーバ１が、他の視聴者の情報を検索する。ここで、ＴＶ番組視聴メンバー管理サーバ１は、他視聴者情報検索手段８として機能する。
【００７５】
Ｓ１５：ＴＶ番組視聴メンバー管理サーバ１が、検索結果をインターネット端末３０に送信する。ここで、ＴＶ番組視聴メンバー管理サーバ１は、他視聴者情報送信手段９として機能する。
【００７６】
Ｓ１６〜Ｓ１７：インターネット端末３０が、ＴＶ番組視聴メンバー管理サーバ１から送信された他視聴者情報を受信し、表示部に表示する。ここでインターネット端末３０は、他視聴者情報受信表示手段３４として機能する。
【００７７】
（第２の実施形態）
第２の実施形態は、インターネット端末でＴＶ放送を受信する点が第１の実施形態とは異なる。
【００７８】
パソコンや携帯電話で地上波ディジタル放送やワンセグを受信することにより、第１の実施形態で説明したＴＶ受像機と情報家電管理装置をインタネット端末に一体化することができる。
【００７９】
図１０は、本実施形態の係るＴＶ番組視聴メンバー管理システムの全体構成を示す図である。ＴＶ受像機１１の受信機能を果たす部分をＴＶ放送受信手段１２として、情報家電管理装置２０の担う２つの手段（視聴状況検知手段２１、視聴情報送信手段２２）とともにインターネット端末３０に取り込んだ以外は図１と変わらない。この場合、インターネット端末３０がＴＶ視聴情報管理装置と他視聴者情報表示装置に該当する。
【００８０】
本実施形態によれば、ＴＶ放送の視聴と他視聴者の検索要求を同一の端末で行うことができるため、例えば携帯電話でワンセグ放送を視聴しながら、すぐに仲間と感想の交換を行うように、よりタイムリーにかつ容易に仲間と感想等の交換を行うことが可能となる。
【００８１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８２】
【図１】第１の実施形態に係るＴＶ番組視聴メンバー管理システムの全体構成を示す図である。
【図２】第１の実施形態に係るＴＶ番組視聴メンバー管理サーバ１のハードウェア構成を示す図である。
【図３】第１の実施形態に係る所属グループテーブルを示す図である。
【図４】第１の実施形態に係る視聴記録テーブルを示す図である。
【図５】第１の実施形態に係る番組管理テーブルを示す図である。
【図６】第１の実施形態に係る番組表示画面を示す図である。
【図７】第１の実施形態に係る他視聴者情報画面を示す図である。
【図８】第１の実施形態に係る番組表示画面に他視聴者情報を表示する例を示した図である。
【図９】第１の実施形態に係るＴＶ番組視聴メンバー管理システムの処理フローを示す図である。
【図１０】第２の実施形態に係るＴＶ番組視聴メンバー管理システムの全体構成を示す図である。
【符号の説明】
【００８３】
１    ＴＶ番組視聴メンバー管理サーバ
１１  ＴＶ受像機
２０  情報家電管理装置
３０  インターネット端末
４０  インターネット
４１  家庭内ネットワーク
４２  放送局
５０  バスライン
６０  制御部
７２  記憶装置
８０  番組表示欄
８１  マウスポインタ
８２  ドロップダウンリスト
【図１】
0004920571.tif 000002
【図２】
0004920571.tif 000003
【図３】
0004920571.tif 000004
【図４】
0004920571.tif 000005
【図５】
0004920571.tif 000006
【図６】
0004920571.tif 000007
【図７】
0004920571.tif 000008
【図８】
0004920571.tif 000009
【図９】
0004920571.tif 000010
【図１０】
0004920571.tif 000011